(57)【要約】      （修正有）【課題】水中において着用者の浮力を補助することにより、骨盤が後傾した初級者特有の姿勢を改善し、水中での伏臥位姿勢におけるストリームラインの形成をサポートすることができる水着を提供する。【解決手段】水中での伏臥位姿勢で、骨盤Ａの左右の上前腸骨棘Ｂを結ぶラインを中心にして、骨盤Ａを前傾させる方向に回転モーメントを作用させる位置に浮力材２を配置することにより、水泳初級者でも骨盤Ａが前傾したストリームラインを維持しやすくした。【選択図】図１
2014159652.tif 000002
【特許請求の範囲】
【請求項１】
水中での伏臥位姿勢で、骨盤の左右の上前腸骨棘を結ぶラインを中心にして、骨盤を前傾させる方向に回転モーメントを作用させる位置に浮力材を配置した水着。
【請求項２】
上記浮力材が、骨盤の上前腸骨棘から大腿部の範囲に位置する請求項１記載の水着。
【発明の詳細な説明】
【技術分野】
【０００１】
この発明は、水中での伏臥位姿勢におけるストリームラインの形成をサポートすることができる水着に関するものである。
【背景技術】
【０００２】
従来、水泳初級者や高齢者の泳力をサポートする水着は、種々発表されており、その多くは、水着に浮力材を付加するものである。
【０００３】
例えば、特許文献１の水着１１は、図１７に示すように、着用者の左右の脇の下と、左右の臀部から大腿側部とにそれぞれ浮力材１２を配置している。
【０００４】
また、特許文献２のスパッツ型の水着１１は、図１８に示すように、大腿部と膝から下の部分とに浮力材１２を配置している。
【０００５】
また、特許文献３の水着１１は、図１９に示すように、臍のあたりから臍のいくぶんか下のあたりまでの範囲に浮力材１２を装着することにより、浮力が体の重心（臍のあたり）及び浮力の中心（臍のやや上部）からいくぶん下半身に働くようにして、水中に横たわったとき、脚部が沈むのを防いで、体が水面近くで水平に浮くことができるとしている。
【先行技術文献】
【特許文献】
【０００６】
【特許文献１】特開２０１２−２０２００７号公報
【特許文献２】特開２００２−１０５７１５号公報
【特許文献３】特開平８−３８０６号公報
【発明の概要】
【発明が解決しようとする課題】
【０００７】
ところで、身体組成や体型特性上、胸部に対して腰部や脚部は物理的に沈みやすい。図２０に示すように、身体に作用する浮力Ｄは比重の小さい脂肪の量等に影響されるが、最大の浮力を有する肺の近くがおおよその浮心位置にあたる（点Ｅ）。一方、人体の重心は立位姿勢において、前額面内では、おおよそ左右の上前腸骨棘（図２０の点Ｂ）を結ぶラインの中央付近にあると言われており、水中での伏臥位姿勢でのストリームラインにおいても左右の上前腸骨棘（図２０の点Ｂ）を結ぶラインの中央付近に重心が位置し、重力Ｆが働くものと推定できる。このように、身体の重心Ｂは浮心Ｅよりも下半身寄りにあるため、上半身が浮き、下半身が沈む方向に回転する力が働き、足腰が沈みやすい。
【０００８】
水泳の上級者は、図２０に示すように、身体に作用する浮力Ｄと重力Ｆにより発生する回転力に対し姿勢調節を行い、ストリームラインを維持することができる。ストリームラインを維持するためには、図２０に示すように、左右の上前腸骨棘の点Ｂを結ぶラインを中心に矢印Ｇの方向へ回転モーメントが作用するように骨盤Ａを前傾させることが必要になる。
【０００９】
水中において骨盤Ａが前傾したストリームラインを維持すると、キックやプルの力の推進力への効率的な転換、流水抵抗の減少により、パフォーマンスが向上する。
【００１０】
ところが、水泳初級者は、図２１に示すように、水中において浮力Ｄと重力Ｆにより発生する回転力を受け、骨盤Ａが左右の上前腸骨棘の点Ｂを結ぶラインを中心に矢印Ｈの方向へ回転し、骨盤Ａが後傾して脚腰部が沈んだ姿勢に陥りやすい。骨盤Ａが後傾して脚腰部が沈んだ姿勢では非効率的な泳ぎとなり、長く泳ぐことが困難である。
【００１１】
したがって、初級者にとっては、水中で骨盤Ａが前傾したストリームラインを習得することが重要となるが、特許文献１〜３に開示された従来の水着１１は、着用者に浮力を付与しても、浮力材１２の位置は、骨盤Ａを左右の上前腸骨棘付近の点Ｂを結ぶラインを中心にして、骨盤Ａを前傾させる、即ち、骨盤Ａを矢印Ｇの方向に回転させるモーメントを生じさせるといったことは全く考慮されていない。
【００１２】
例えば、特許文献１の水着１１では、左右の脇の下に浮力材１２を付与しているが、上半身において、上前腸骨棘から離れた位置に浮力材を配置すると、浮力材の量によっては、却って骨盤が後傾した水泳初級者特有の姿勢になりやすく、水中でのストリームラインの形成をサポートするのには逆効果になる。また、下半身にも浮力材１２を付与しているが、上前腸骨棘付近の点Ｂを結ぶラインより大腿側に多くの余剰浮力を与えるような浮力材配置でなければ、骨盤Ａを前傾させる回転モーメントを発生させる効果、即ち、水泳初級者が水中での伏臥位姿勢においてストリームラインを形成する効果は期待できない。
【００１３】
また、特許文献２の水着１１は、大腿部と膝から下の部分とに浮力材１２を配置しているが、人体は剛体ではなく、関節があるため、浮力材１２が骨盤部へ作用する浮力は直接的には生じず、関節を介して間接的に生じる。したがって、大腿部と膝から下の部分が浮力材１２によって物理的に脚が沈みにくくなっても、骨盤Ａが後傾した初級者特有の姿勢を改善することができない。
【００１４】
また、特許文献３の水着１１は、臍のあたりから臍のいくぶんか下のあたりまでの範囲に浮力材１２を装着し、浮力が体の重心（臍のあたり）及び浮力の中心（臍のやや上部）からいくぶん下半身に働くようにしていても、浮力材１２による余剰浮力の浮心が骨盤Ａの中央付近に位置し、骨盤Ａを前傾させる回転モーメントは発生せず、骨盤Ａが後傾した初級者特有の姿勢を根本的に改善することはできない。
【００１５】
そこで、この発明は、水中において着用者の浮力を補助し、骨盤が後傾した初級者特有の姿勢を改善することができる水着を提供しようとするものである。
【課題を解決するための手段】
【００１６】
この発明に係る水着は、上記の課題を解決するために、水中での伏臥位姿勢で、骨盤の左右の上前腸骨棘を結ぶラインを中心にして、骨盤を前傾させる方向に回転モーメントを作用させる位置に浮力材を配置することにより、初級者でも骨盤が前傾したストリームラインを維持しやすくしたものである。
【００１７】
骨盤の左右の上前腸骨棘を結ぶラインを中心にして、骨盤を前傾させる方向に回転モーメントを作用させるには、浮力材を骨盤の上前腸骨棘から大腿部の範囲に位置させればよい。
【００１８】
この発明で重要な点は、浮力材によって生じる余剰浮力が、骨盤の左右の上前腸骨棘を結ぶラインを挟んで骨盤の大腿側が体幹側よりも大きくなるようにすれば、骨盤に前傾方向への回転モーメントを作用させることが可能であるため、上前腸骨棘を結ぶラインを挟み体幹側に浮力材があっても、上前腸骨棘を結ぶラインを挟み大腿側に体幹側よりも大きな余剰浮力が生じるようにすることである。
【００１９】
浮力材による浮力は、浮力材の比重、大きさによって調節することができる。
【００２０】
浮力材としては、クロロプレンゴムなどの発泡体や空気が封入された中空状の物等、比重が1より小さい材料を使用することができる。また、浮力材は収納部や係止具等を用いて着脱自在形式としてもよい。そうすれば、練習や目的に合わせて浮力の条件を適宜設定できるし、ストリームラインを維持できるように上達しても、浮力材を外して水着をそのまま利用することができる。
【発明の効果】
【００２１】
この発明に係る水着は、上記のように、水中において直接骨盤に前傾方向への回転モーメントを作用させるようにしているので、水泳のパフォーマンスを向上させるために必須である骨盤が前傾したストリームラインを水泳初級者に習得させることができる。
【図面の簡単な説明】
【００２２】
【図１】この発明に係る水着の実施形態１の正面図である。
【図２】実施形態１の水着を斜め後方から見た斜視図である。
【図３】この発明に係る水着の実施形態２の正面図である。
【図４】実施形態２の水着を斜め後方から見た斜視図である。
【図５】この発明に係る水着の実施形態３の正面図である。
【図６】実施形態３の水着を斜め後方から見た斜視図である。
【図７】この発明に係る水着の実施形態４の正面図である。
【図８】実施形態４の水着を斜め後方から見た斜視図である。
【図９】この発明に係る水着の実施形態５の正面図である。
【図１０】実施形態５の水着を斜め後方から見た斜視図である。
【図１１】この発明に係る水着の実施形態６の正面図である。
【図１２】この発明に係る水着の実施形態７の正面図である。
【図１３】この発明に係る水着の実施形態８の正面図である。
【図１４】実施形態８の水着を斜め後方から見た斜視図である。
【図１５】この発明に係る水着の実施形態９の正面図である。
【図１６】実施形態９の水着を斜め後方から見た斜視図である。
【図１７】従来の水着の正面図である。
【図１８】従来の他の水着の正面図である。
【図１９】従来の他の水着の正面図である。
【図２０】水泳上級者の水中での伏臥位姿勢を示す側面図である。
【図２１】水泳初心者の水中での伏臥位姿勢を示す側面図である。
【発明を実施するための形態】
【００２３】
以下、この発明に係る水着の実施形態を図面に基づいて説明する。
【００２４】
図１及び図２に示すこの発明の実施形態１の水着１は、ワンピース型の女性用水着である。
【００２５】
この実施形態１の水着１は、図１に示すように、骨盤Ａの左右の上前腸骨棘（黒丸点Ｂ）を結ぶラインＣから大腿側に左右に分離して浮力材２を配置している。浮力材２の浮力により、水中での伏臥位姿勢において、骨盤Ａの左右の上前腸骨棘Ｂを結ぶラインＣを中心にして、図２０に示すように、骨盤Ａを前傾させる方向に回転モーメントＧを作用させている。
【００２６】
浮力材２は、厚さ１ｍｍ、比重０．３４、面積２６０ｃｍ２のクロロプレンゴムシートを骨盤Ａの上前腸骨棘Ｂの大腿側の部分に左右に分離して縫製している。
【００２７】
図３及び図４に示すこの発明の実施形態２の水着１は、オールインワン型の女性用水着である。
【００２８】
この実施形態２の水着１は、図３に示すように、骨盤Ａの左右の上前腸骨棘Ｂを結ぶラインＣの大腿側に位置する箇所から大腿上部に亘る範囲の側面に浮力材２を配置し、水中での伏臥位姿勢において浮力材２の浮力により、骨盤Ａの左右の上前腸骨棘Ｂを結ぶラインＣを中心にして、図２０に示すように、骨盤Ａを前傾させる方向に回転モーメントＧを作用させている。
【００２９】
浮力材２は、厚さ１ｍｍ、比重０．３４、面積３１０ｃｍ２の縦長のクロロプレンゴムシートを左右に分離して大腿部分に縫製している。
【００３０】
図５及び図６に示すこの発明の実施形態３の水着１は、セパレーツ型の女性用水着である。
【００３１】
実施形態３の水着１は、胴部１ａとパンツ部１ｂとに分離され、図５に示すように、パンツ１ｂの骨盤Ａの左右の上前腸骨棘Ｂを結ぶラインＣから大腿側に位置する箇所の側面に浮力材２を配置し、水中での伏臥位姿勢において浮力材２の浮力により、骨盤Ａの左右の上前腸骨棘Ｂを結ぶラインＣを中心にして、図２０に示すように、骨盤Ａを前傾させる方向に回転モーメントＧを作用させている。
【００３２】
実施形態３の例として、厚さ１ｍｍ、比重０．３４で、面積が３１０ｃｍ２、３９０ｃｍ２の２種類の横長のクロロプレンゴムシートからなる浮力材２を、それぞれ左右に２分割して大腿部分に縫製した２種類の水着１が挙げられる。
【００３３】
実施形態３の２種類の水着１において、横長のクロロプレンゴムシートは、上端位置と後端位置を一定にして、横幅の違いにより前端位置が前方寄りにずれるようにして大腿部分に縫製している。
【００３４】
図７及び図８に示すこの発明の実施形態４の水着１は、実施形態３と同様に、胴部１ａとパンツ部１ｂとに分かれたセパレーツ型の女性用水着であり、この実施形態４の例として、厚さ１ｍｍ、比重０．３４で、面積が３１０ｃｍ２、３９０ｃｍ２、４７０ｃｍ２の３種類の縦長のクロロプレンゴムシートからなる浮力材２を、それぞれ左右に２分割し、パンツ１ｂの骨盤の左右の上前腸骨棘Ｂを結ぶラインＣから大腿側に位置する箇所から大腿上部に亘る範囲の側面に配置した３種類の水着１が挙げられ、水中での伏臥位姿勢において、浮力材２の浮力により、骨盤Ａに前傾方向への回転モーメントＧを作用させている。
【００３５】
実施形態４の３種類の水着１において、縦長のクロロプレンゴムシートは、上端位置と後端位置を一定にし、横幅の違いにより前端位置が前方寄りにずれるようにして縫製している。
【００３６】
図９及び図１０に示すこの発明の実施形態５の水着１は、男性用水着である。
【００３７】
この実施形態５の水着１は、骨盤Ａの左右の上前腸骨棘Ｂよりも大腿側の両側部分に、厚さ１ｍｍ、比重０．３４、面積３１０ｃｍ２の横長のクロロプレンゴムシートからなる浮力材２を左右に分割して縫製し、水中での伏臥位姿勢において、浮力材２の浮力により、骨盤Ａに前傾方向への回転モーメントＧを作用させている。
【００３８】
図１１に示すこの発明の実施形態６の水着１は、実施形態２と同様に、オールインワン型の女性用水着であり、骨盤Ａの左右の上前腸骨棘Ｂを結ぶラインＣの大腿側に位置する箇所から大腿上部に亘る範囲の側面と、大腿上部から大腿下部に亘る範囲の側面とに浮力材２を配置している。この実施形態６の水着１は、骨盤Ａの左右の上前腸骨棘Ｂを結ぶラインＣの大腿側に位置する箇所から大腿上部に亘る範囲の側面に配置した浮力材２により、骨盤Ａに前傾方向の回転モーメントＧが作用し、さらに大腿上部から大腿下部に亘る範囲の側面に配置した浮力材２により、脚部にも浮力が作用するので、より効果的に骨盤Ａが前傾したストリームラインを維持することができる。
【００３９】
図１２に示すこの発明の実施形態７の水着１は、実施形態２と同様に、オールインワン型の女性用水着であり、骨盤Ａの左右の上前腸骨棘Ｂを結ぶラインＣの大腿側に位置する箇所から大腿上部に亘る範囲の側面に浮力材２を配置し、骨盤Ａの左右の上前腸骨棘Ｂを結ぶラインＣより体幹側に、ラインＣの大腿側に配置した浮力材２よりも小さい浮力材２を配置している。この実施形態７の水着１は、骨盤Ａに作用する余剰浮力を、左右の上前腸骨棘Ｂを結ぶラインＣを挟んだ大腿側において、体幹側よりも大きくすることにより、骨盤Ａに前傾方向の回転モーメントを作用させながら、骨盤Ａ全体に加わる浮力を向上させている。
【００４０】
図１３及び図１４に示すこの発明の実施形態８の水着１は、実施形態２と同様に、オールインワン型の女性用水着であり、骨盤Ａの左右の上前腸骨棘Ｂを結ぶラインＣの大腿側に位置する箇所から大腿上部に亘る範囲の全周に、ベルト状に浮力材２を配置している。
【００４１】
図１５及び図１６に示すこの発明の実施形態９の水着１は、実施形態２と同様に、オールインワン型の女性用水着であり、骨盤Ａの左右の上前腸骨棘Ｂを結ぶラインＣの大腿側の前面と、背面に分けて浮力材２を配置している。
【００４２】
〈効果確認実験〉
図７及び図８に示す実施形態４に示す浮力材２の面積が３１０ｃｍ２、３９０ｃｍ２、４７０ｃｍ２と異なる３種類のセパレーツ型の女性用水着の実施品と、浮力材２を縫製していない実施形態４と同型のセパレーツ型の女性用水着の比較品とを、４名の被験者（水泳初〜中級者）に着用させ、着用感の調査を行った。また、２５ｍのクロールを行わせ、そのタイムを測定した。
４名の被験者のうち、浮力材２の面積が最も少ないこの発明の実施品でも、１名の被験者が、浮力材２を縫製していない比較品の水着よりも足腰部への浮力の増大を実感でき、浮力材２の面積が大きい２つのタイプの実施品の場合には、３名の被験者が、浮力材２を縫製していない比較品の水着よりも足腰部への浮力の増大を実感できた。
【００４３】
また、浮力材２の面積が最小の実施品を着用させて２５ｍのクロールを行わせた場合でも、比較品よりもタイムが短縮した。
【００４４】
面積が３１０ｃｍ２、３９０ｃｍ２、４７０ｃｍ２の３種類の浮力材２を使用した場合の概算の余剰浮力は、１０．４ｇ、１３．１ｇ、１５．８ｇであり、この発明の実施品では、余剰浮力約１０ｇ程度で、パフォーマンス向上に対して十分な効果が得られることが示唆された。
【００４５】
この着用効果確認実験により、水中において骨盤Ａに前傾方向への回転モーメントが作用する位置に浮力材を配置することにより、骨盤Ａが前傾したストリームラインが維持され易くなり、水泳のパフォーマンスが向上するということが確認された。
【符号の説明】
【００４６】
１  水着
２  浮力材
【図１】
2014159652.tif 000003
【図２】
2014159652.tif 000004
【図３】
2014159652.tif 000005
【図４】
2014159652.tif 000006
【図５】
2014159652.tif 000007
【図６】
2014159652.tif 000008
【図７】
2014159652.tif 000009
【図８】
2014159652.tif 000010
【図９】
2014159652.tif 000011
【図１０】
2014159652.tif 000012
【図１１】
2014159652.tif 000013
【図１２】
2014159652.tif 000014
【図１３】
2014159652.tif 000015
【図１４】
2014159652.tif 000016
【図１５】
2014159652.tif 000017
【図１６】
2014159652.tif 000018
【図１７】
2014159652.tif 000019
【図１８】
2014159652.tif 000020
【図１９】
2014159652.tif 000021
【図２０】
2014159652.tif 000022
【図２１】
2014159652.tif 000023